(57)【特許請求の範囲】
【請求項１】
パルスに応答する射出ヒーター抵抗器を含み、共通の電源を共有する複数のプリンタヘッドを有し、前記パルスは電源に応答するプリンタヘッド駆動回路によりプリンタヘッドに供給される、サーマルインクジェットプリンタを動作させる方法において、
前記プリンタヘッドに配されたサンプル抵抗器の抵抗を測定するステップと、
プリントデータおよびペンの識別情報に基づいて目標動作エネルギーおよび目標パルス幅を参照用の表から導出するステップと、
前記目標動作エネルギーから前記目標パルス幅を除して目標出力を計算するステップと、
前記目標出力に前記サンプル抵抗を乗じた値の平方根を電源の公称電圧に加算して目標電源電圧を計算するステップと、
前記電源に前記目標電源電圧にほぼ等しい電圧を供給させるステップと、
前記電源により供給される実際の電圧を測定するステップと、
前記実際の電圧から前記電源電圧を減算した値を２乗し、これを前記サンプル抵抗で除して動作出力を計算するステップと、
前記目標動作エネルギーから前記動作出力を除して動作パルス幅を計算するステップと、
を備えることを特徴とする方法。
【請求項２】
共通の電源を共有する複数のプリンタヘッドを有し、各プリンタヘッドがパルスに応答する射出ヒーター抵抗器を有し、前記パルスは前記電源からの供給電圧を受け取るプリンタヘッド駆動回路によりヒーター抵抗器用相互接続パッドに供給される、サーマルインクジェットプリンタを動作させる方法において、
各々の前記インク射出抵抗器の相互接続パッド間抵抗を代表するプリンタヘッドのサンプル抵抗を測定するステップと、
プリンタヘッドの目標動作エネルギーおよび目標パルス幅を検出するステップと、
前記目標動作エネルギーから前記目標パルス幅を除して目標出力を計算するステップと、
プリントヘッド駆動回路が前記目標パルス幅を有する前記目標出力を前記ヒーター抵抗器用相互接続パッドに供給するために、前記目標出力に前記サンプル抵抗を乗じた値の平方根を電源の公称電圧に加算して目標電源電圧を計算するステップと、
前記電源に前記電源電圧にほぼ等しい電圧を供給させるステップと、
前記電源により供給される実際の電圧を測定するステップと、
前記実際の電圧から前記電源電圧を減算した値を２乗し、これを前記サンプル抵抗で除して動作出力を計算するステップと、
前記目標動作エネルギーから前記動作出力を除して動作パルス幅を計算するステップと、
を備えることを特徴とする方法。
【請求項３】
前記目標動作エネルギーおよび前記目標パルス幅を検出するステップは、前記目標動作エネルギーおよび前記目標パルス幅を参照用の表から導出するステップをさらに備えることを特徴とする請求項２に記載の方法。
【請求項４】
インクジェットプリンタにおいて、
複数のインク噴射抵抗器とそれらに関連する噴射抵抗器抵抗を有する複数のインクジェットプリントヘッドと、
前記複数のプリントヘッドによって共有され、供給電圧を供給する電圧が制御された共通の電源と、
前記インク噴射抵抗器にパルス電圧を印加するための前記供給電圧に応答するプリンタヘッド駆動回路と、
前記噴射抵抗器抵抗と所定の関係を有するサンプル抵抗器抵抗を持つサンプル抵抗器と、
前記噴射抵抗器抵抗を測定する前記サンプル抵抗器をサンプルする手段と、
プリントヘッドのための目標動作エネルギーおよび目標パルス幅を検出する手段と、
前記目標動作エネルギーから前記目標パルス幅を除して目標出力を計算する手段と、
プリントヘッド駆動回路が前記目標パルス幅を有する前記目標出力を前記ヒーター抵抗器用相互接続パッドに供給するために、前記目標出力に前記噴射抵抗器抵抗を乗じた値の平方根を電源の公称電圧に加算して目標電源電圧を計算する手段と、
前記電源に前記電源電圧にほぼ等しい電圧を供給させる手段と、
前記電源により供給される実際の電圧を測定する手段と、
前記実際の電圧から前記電源電圧を減算した値を２乗し、これを前記サンプル抵抗で除して動作出力を計算する手段と、
前記目標動作エネルギーから前記動作出力を除して動作パルス幅を計算する手段と、
を備えることを特徴とするインクジェットプリンタ。
【発明の詳細な説明】
【０００１】
【産業上の利用分野】
本発明は、全般的に、熱インク・ジェット・プリンタに関し、さらに詳細には、プリンタ内に設置した熱インク・ジェット・プリントヘッドの動作エネルギを決定しセットする技術を使用するインク・ジェット・プリンタに関する。
【０００２】
【従来の技術】
インク・ジェット・プリンタは、印字媒体のために規定したアレイのある特定の位置に個々のドットからなるパターンを印字することによって、印字イメージを形成する。この位置は、直線のアレイの小さなドットの集まりとして丁度いい具合に視覚化されている。この位置は、「ドット位置」、「ドット場所」、または「画素」と呼ばれることがある。このように、印字動作は、ドット位置のパターンにインクのドットを満たすことであるとみなすことができる。
【０００３】
インク・ジェット・プリンタは、非常に小さいインク滴を印字媒体上へ噴出することによってドットを印字する。インク・ジェット・プリンタは、通常、それぞれがインクを噴出するノズルを有するひとつまたはそれ以上のプリントヘッドを支持する移動可能なキャリッジを含む。キャリッジは、印字媒体の表面の上を横切り、ノズルは、マイクロコンピュータまたはその他の制御装置の命令にしたがって、適切な回数だけインク滴を噴出するよう制御される。このとき、インク滴の射出の実行タイミングは、印字されるイメージの画素のパターンに対応するよう意図されている。
【０００４】
熱インク・ジェット・プリンタのプリントヘッドは、通常、交換可能なプリントヘッドのカートリッジとして実施される。このカートリッジは、通常、ひとつまたはそれ以上のインク槽と、集積回路プリントヘッドを含んでいる。集積回路プリントヘッドは、インクを噴出するノズルのアレイ、それぞれのノズルに隣接する複数のインク射出チャンバ、インク射出チャンバに隣接しインクを噴出するノズルに対向しインク射出チャンバによってノズルと間隔を置いている複数のヒータ抵抗器、を有するノズル板を含んでいる。それぞれのヒータ抵抗器は、十分なエネルギを有する電気パルスに応答して、その関連するノズルからインク滴を発射させる。
【０００５】
カラー・インク・ジェット・プリンタは、通常複数の、普通は２つまたは４つの、プリンタのカートリッジに搭載されて全スペクトルの色を生み出す印字カートリッジを用いている。４つのカートリッジを有するプリンタにおいては、それぞれの印字カートリッジが異なる色、通常用いられるのはシアン、マゼンタ、黄、黒の原色、のインクを収容している。２つのカートリッジを有するプリンタにおいては、通常ひとつのカートリッジが黒のインクを収容し、他方のカートリッジが３つに区分けされたカートリッジを持ち、原色のシアン、マゼンタ、黄のインクを収容している。原色は、要求された色の滴をドット位置に付着することによって媒体上に生成される。２次的に作られる、または濃淡の色合い（shaded color) は、異なる基本色のインクの多数の滴を同じドット位置に付着させ、確立した光学的原理にしたがい２次的な色を生成する２つまたはそれ以上の原色が重ねることによって形成される。
【０００６】
熱インク・ジェット・ペンがインク滴を噴出するためには、プリンタからの電気駆動パルスが必要である。パルスの電圧振幅、形状、幅が、ペンの性能に影響を与える。ある特定の量のエネルギを供給するパルスを用いてペンを動作させることが望ましい。供給されるエネルギは、ペンの抵抗とともにパルスの特性（幅、振幅、形状）によって決まる。
【０００７】
熱インク・ジェット・プリントヘッドが適切な体積のインク滴を発射するためには、一定の最小限のエネルギ｛ここでは作動（turn on)エネルギと呼ぶ｝が必要である。プリントヘッドの設計が異なれば、作動エネルギーは異なる可能性がある。実際には、製造における許容誤差の結果として、同じプリントヘッドの設計であっても、異なるサンプル間では作動エネルギーが変化する。駆動装置が集積化された(integrated)タイプのペンにおいては、総抵抗は、電界効果トランジスタおよび他のトレース抵抗(trace resistances) と直列のヒータ抵抗器からなり、そのそれぞれが関連する製造における許容誤差を有する。これらの許容誤差があるため、与えられたペンに供給するエネルギの大きさを知る上での不確実性が増す。したがって、この不確実性を見越すために、平均的なペンを発射させるのに必要なエネルギよりも高いエネルギ（「オーバ・エネルギ」と呼ぶ）をペンに供給することが必要である。しかし、過度の量のエネルギを供給するとヒータ抵抗器の寿命が短くなる等の悪影響があることがわかっているので、オーバ・エネルギには上限を設けることが必要である。このような上限を設けると、受け入れられる製造における許容誤差の範囲が限られるという影響があり、それによってペンの歩留まりや製造コストに悪影響がある可能性がある。その結果、熱インク・ジェット・プリンタは、そのプリンタが収容することのできるプリントヘッドのカートリッジの予想される最も低い作動エネルギよりも大きい固定したインク発射エネルギを与えるように形成されている。
【０００８】
【発明が解決しようとする課題】
固定したインク発射エネルギを利用する上で考慮しなければならないのは、ある特定のプリントヘッドのカートリッジの実際の作動エネルギと比べて発射エネルギが過度に大きい場合には、ヒータ抵抗器の動作寿命(operating lifetime)が短くなり印字品質が低下する結果となる、ということである。また、固定したインク発射エネルギを利用する上でもうひとつ考慮しなければならないのは、それに合わせて現在存在する熱インク・ジェット・プリンタが形成されたようなプリントヘッドとは異なるインク発射エネルギの要求事項を有する新しく開発されたまたは変更したプリントヘッドを利用することができない、ということである。
【０００９】
したがって、プリンタ内に設置した熱インク・ジェット・プリントヘッドのパッド間抵抗と作動熱エネルギを決定する熱インク・ジェット・プリンタを提供することは有益である。
【００１０】
したがって、本発明の目的は、ペンの抵抗の不確実性を減少し、それによってプリンタが平均的に減少した(reduced average) オーバ・エネルギを供給できるようにし、ペンの許容誤差の制約を減少し、歩留まりとコストを改善することである。
【００１１】
【課題を解決するための手段】
前述の、およびその他の有益は、熱インク・ジェット・プリンタを動作させる本発明のインク・ジェット・プリンタによって提供される。本発明によると、熱インク・ジェット・プリンタの集積回路プリントヘッドは、インク射出ヒータ抵抗器のそれぞれに比例する精密に規定された抵抗比を有するサンプル抵抗器を含む。サンプル抵抗器はヒータ抵抗器に関連するパッド間抵抗を決定するために用いられ、駆動回路によって供給されるパルスの電圧の関数としての、ヒータ抵抗器に供給されるエネルギーが決定される。コントローラにはペンの抵抗が少ない許容誤差でわかっているので、既知量のエネルギを、しかも小さい許容誤差で供給することができる。コントローラは、これを以下のステップを実行することによって行う。サンプル抵抗器の抵抗を読み取り、プリントヘッドのパッド間抵抗を決定し、参照用の表からプリントヘッドの目標動作エネルギと目標パルス幅を決定し、目標動作エネルギと目標パルス幅から目標動作出力を計算し、目標動作出力とパッド間抵抗から電源電圧を決定し、電源電圧をセットし、動作出力を決定し、動作出力と目標エネルギをベースに動作パルス幅をセットする。
【００１２】
【実施例】
以下の詳細な説明と図面においては、同じ要素は同じ参照数字で識別されている。
【００１３】
図１において、本発明の技術を用いた熱インク・ジェット・プリンタの簡略化したブロック図が示されている。コントローラ１１は、データ入力を受け取り、印字データを処理して印字制御情報をプリントヘッド駆動装置としてのプリントヘッド駆動回路１３に供給する。電圧が制御された電源１５は、プリントヘッド駆動回路１３に制御された供給電圧Vsを供給する。供給電圧Vsの大きさは、コントローラ１１によって制御されている。プリントヘッド駆動回路１３は、コントローラ１１に制御されて、パルス電圧VPの駆動または付勢電圧パルスを薄膜集積回路熱インク・ジェット・プリントヘッド１９（以下、プリントヘッドという）に印加する。プリントヘッド１９は、薄膜のインク滴を射出するヒータ抵抗器１７を含む。パルス電圧VPは、通常、導電トレース(conductive trace)によってヒータ抵抗器に接続されている接触パッドに印加され、それらの抵抗のため、インク射出抵抗器が受け取るパルス電圧は、通常プリントヘッドの接触パッドにおけるパルス電圧Vpよりも低い。ヒータ抵抗器にかかる実際の電圧を測定することは容易でないので、ここに説明するヒータ抵抗器の作動エネルギは、ヒータ抵抗器に関連するプリントヘッドのカートリッジの接触パッドに印加される電圧に関するものとする。ヒータ抵抗器に関連する抵抗は、ヒータ抵抗器のパッド間抵抗とその相互接続回路にによって表す（すなわち、ヒータ抵抗器に関連するプリントヘッドの接触パッド間の抵抗である）。
【００１４】
パルス電圧Vpと供給電圧Ｖｓの関係は、プリントヘッド駆動回路の特性によって決まる。たとえば、プリントヘッド駆動回路は、略一定の電圧降下Vdとして模式化できる。このような実施については、パルス電圧Vpは次の（１）式に示すように、供給電圧Vsからプリントヘッド駆動回路の電圧降下Vdを引いたものに略等しい。
【００１５】
【数１】
0003639330.tif 000002
【００１６】
プリントヘッド駆動回路がよりよく模式化されていて抵抗Rdを有する場合には、パルス電圧は以下の（２）式のように表される。
【００１７】
【数２】
0003639330.tif 000003
【００１８】
ただし、Rpp はヒータ抵抗器に関連するパッド間抵抗である。
【００１９】
コントローラ１１は、公知のコントローラの構造にしたがってマイクロプロセッサの構成を含むことができる。さらに詳細には、コントローラ１１は、プリントヘッド駆動回路１３にパルス幅とパルス周波数のパラメータを供給し、プリントヘッド駆動回路１３はコントローラの選択したパルス幅と周波数の駆動電圧パルスを発生する。このときの電圧Vpは、コントローラ１１に制御される電圧が制御された電源１５が供給する供給電圧Ｖｓによって決まる。本質的に、コントローラ１１は、プリントヘッド駆動回路によってヒータ抵抗器に印加されるパルス電圧のパルス幅、周波数、電圧を制御する。公知のコントローラの構造と同様、コントローラ１１は、通常、プリントヘッドのキャリッジ（図示せず）の制御や印字媒体の動きの制御等の他の機能も備えている。
【００２０】
本発明によると、図１の熱インク・ジェット・プリンタのプリントヘッドは、さらに、それぞれのヒータ抵抗器に比例した精密に規定された抵抗比を有するサンプル抵抗器２１を含む。このような抵抗器は、従来の集積回路薄膜技術によって容易に作ることができる。図解例として、抵抗、すなわち、サンプル抵抗器とその相互接続回路は、（ａ）それぞれのヒータ抵抗器の抵抗の１０倍、と（ｂ）ヒータ抵抗器の相互接続回路の抵抗、を合計したパッド間抵抗Rpp を有するように形成されている。サンプル抵抗器２１のひとつの端子は接地されており、他方の端子は精密基準抵抗器Rpのひとつの端子に接続されている。この精密基準抵抗器Rpはプリントヘッドの外部にあり、その他方の端子は基準電圧Vcに接続されている。サンプル抵抗器２１と精密基準抵抗器Rpの間の接合点は、アナログ−デジタル変換器２４（以下、A/D 変換器という）に接続されている。A/D 変換器２４のデジタル出力は、サンプル抵抗器２１と精密基準抵抗器Rpの間の接合点における電圧の量子化したサンプルを含む。精密基準抵抗器Rpの値がわかっているので、サンプル抵抗器２１と精密基準抵抗器Rpの間の接合点における電圧はサンプル抵抗器２１のパッド間抵抗Rpp を示し、そのパッド間抵抗はヒータ抵抗器の抵抗を示すことになる。サンプル抵抗器２１は、プリントヘッド駆動回路が供給する駆動パルス電圧であるパルス電圧Vpの関数としての、ヒータ抵抗器に供給されるエネルギを決定するための、ヒータ抵抗器に関連するパッド間抵抗Rpp を決定するために用いることができる。こういった配列になっているため、プリンタ機構は、ストリングの抵抗を測定することができ、経験的に決定された回帰を用いることによって、ペンの全体の抵抗を高い精度で決定することができる。このことが言えるのは、ペンの抵抗の不確実性の最も大きな部分を構成するヒータ抵抗器がサンプル抵抗器によって近似的に(closely) 表されているためである。プリンタにはペンの抵抗が少ない許容誤差でわかっているので、知っている量のエネルギを、しかも小さい許容誤差で供給することができる。プリンタは、これをその電圧および／またはパルス幅を適切な値に調節することによって行う。
【００２１】
図１の熱インク・ジェット・プリンタのプリントヘッド１９はまた、温度センサ２３を含む。温度センサ２３はインク射出抵抗器としてのヒータ抵抗器のいくつかに近接して位置しており、プリントヘッド１９の温度を示すアナログ電気信号を供給する。温度センサ２３のアナログ出力は、A/D 変換器２５に供給され、A/D 変換器２５は、デジタル出力をコントローラ１１に供給する。A/D 変換器２５のデジタル出力は、温度センサ２３のアナログ出力の量子化したサンプルを含む。A/D 変換器の出力は、温度センサの検出した温度を示す。
【００２２】
固定した周波数と固定したパルス幅を有するインク射出電圧パルスの印加にしたがって印字するように図１のプリンタが形成されているような特定の実施に対しては、電圧パルスのパルスエネルギは、それぞれのヒータ抵抗器に関連するパッド間抵抗Rpp と、供給電圧Vsとプリントヘッド駆動回路の電圧降下Vdによって決定される電圧パルスのパルス電圧VPによって決まる。ヒータ抵抗器に関連するパッド間抵抗RPP は、サンプル抵抗器２１の読み取りにしたがってコントローラ１１が決定することができ、したがって、エネルギが力と時間の積である、ただし時間は動作パルス幅である、という関係から、基準パルス電圧を決定することができる。出力は、特に電圧の２乗を抵抗で割ったものとして表すことができる。ただし抵抗はそれぞれのヒータ抵抗器に関連するパッド間抵抗Rpp である。このように、基準パルスエネルギは、パッド間抵抗Rpp と基準エネルギを達成するのに必要な基準パルス電圧によって、表すことができる。
【００２３】
固定パルス幅に対して、エネルギが基準パルスエネルギに等しくするように基準パルス電圧を決定することにより、ヒータ抵抗器に供給されるパルスエネルギが既知であり、かつパルス電圧ＶＰを制御する供給電圧Vsを変えることにより変化させることができ、プリントヘッドが効果的に基準化される（calibrate)。
【００２４】
単一のペンの電圧は独立してセットすることができる。しかし、共通の電源を用いている一組のペンに対しては、共用の電源を用いたペンすべてを満足させる単一のペンの電圧をセットしなければならない。共通の電源を共用するペンは、共用電源のペンのパルス幅を変えることによって制御することができる。ペンのRpp の値の違いが結果としてペンのパルス出力の違いになり、低い抵抗ほど高いパルス出力を供給する。ペンのうちのひとつは目標電圧にセットされる。これは、目標パルスエネルギーを供給するために、他のペンが異なる幅を必要とすることを意味する。
【００２５】
次に図２において、本発明による単一のペンのパッド間抵抗と動作エネルギーを決定するための本発明による手順のフローチャートを示す。１１０において、Ａ／Ｄ変換器２４を読み取り、読み取りを電気抵抗(ohms)に変換することによって、サンプル抵抗器２１の抵抗が決定される。１１５において、パッド間抵抗器Rpp は次の（３）式により、サンプル抵抗器の抵抗Rsample から計算される。
【００２６】
【数３】
0003639330.tif 000004
【００２７】
ここで、k １、k ２は回帰分析を行うことにより、決定される定数である。
【００２８】
１２０において、コントローラ１１が、ペンの識別情報と参照用の表を用いて、ペンの目標動作エネルギEop - ref と目標パルス幅PWop- ref を決定する。１３０において、既知の目標パルス幅PWop- ref と目標動作エネルギEop - ref を用い、次の（４）式を用いて、目標出力Pop - ref が計算される。
【００２９】
【数４】
0003639330.tif 000005
【００３０】
１３５において、目標動作出力Pop - ref とパッド間抵抗Rpp から、次の（５）式を用いて、目標電源電圧Vpost を決定する。
【００３１】
【数５】
0003639330.tif 000006
【００３２】
ここで、Vdn はドライバ・システムの公称電圧である。
【００３３】
１４０において、電源がその最も近い値にセットされ、A/D 変換器を用いてVpsrが読み取られる。１４５において、次の（６）式を用いて現実の動作出力レベルが計算される。
【００３４】
【数６】
0003639330.tif 000007
【００３５】
１５０において、現実の動作出力と目標エネルギをベースに、次の（７）式を用いて、動作パルス幅PWopがセットされる。
【００３６】
【数７】
0003639330.tif 000008
【００３７】
次に図３を参照すると、本発明による共通の電源を用いた一組のペンのパッド間抵抗と動作エネルギーを決定するための本発明による手順のフローチャートを示す。２１０において、A/D 変換器２４の出力を読み取り、その読み取った内容を電気抵抗に変換することによって、サンプル抵抗器２１の抵抗が決定される。２１５において、前記（３）式（ただし、k １、k ２は前記（３）式と同様に回帰分析を行うことにより決定される定数）により、サンプル抵抗器の抵抗Rsample からパッド間抵抗Rpp が計算される。２２０において、コントローラ１１が、ペンの識別情報と参照用の表を用いて、ペンの目標動作エネルギEop - ref と目標パルス幅PWop- ref を決定する。
【００３８】
２２５において、その電圧を独立してセットするペンが決定される。判定の基準が印字品質のためにパルス幅をできるだけ短くするとともに抵抗器の寿命を長くすることを確実にするために出力を制限するというものであるならば、パッド間抵抗が最も低いペンが独立して最適化される。判定の基準がこれとは別のものであるならば、別のペンを選んで最適化することもできる。
【００３９】
独立してセットされるペンに対しては、制御は２３０に行き、ここで既知の目標パルス幅PWop- ref と目標動作エネルギEop - ref から、前記（４）式を用いて、目標出力Pop - ref が計算される。２３５において、目標動作出力Pop - ref とパッド間抵抗Rpp から、前記（５）式（ただしVdn は前記（５）式同様ドライバ・システムの公称電圧）を用いて、目標電源電圧Vpstを決定する。２４０において、電源がその最も近い値にセットされ、A/D 変換器を用いてVpsrが読み取られる。２４５において、前記（６）式を用いて現実の動作出力レベルが計算される。２５０において、現実の動作出力と目標エネルギをベースに、前記（７）式を用いて、動作パルス幅PWopがセットされる。
【００４０】
２２５に戻って、独立してセットされないペンに対しては、制御は２５５に行き、ここで前記（６）式を用いて現実の動作出力レベルが計算される。２６０において、現実の動作出力と独立してセットされるペンの目標エネルギをベースに、前記（７）式を用いて、動作パルス幅PWopがセットされる。
【００４１】
本発明のインク・ジェット・プリンタを使用する熱インク・ジェット・プリンタの動作方法は、どのキャリッジ位置に関しても、非常に速く実行できる。パワーオン時と、ペン変更後にペン・エネルギが設定される。
【００４２】
目的は、ペンの寿命を維持するとともにペンを確実に発射させるようペンの電圧とパルス幅をセットすることである。本発明によると、作動エネルギよりは大きく、適切な印字品質を保証しヒータ抵抗器の早期故障を避ける範囲の値に動作エネルギをセットすることができる。
【００４３】
上記は、プリントヘッドがプリンタ内に設置した、決定した作動エネルギをベースにしたパルス・エネルギで動作する熱インク・ジェット・プリントヘッドの、動作エネルギを、ペンの抵抗の許容誤差の幅を広くしながら、有利に決定する熱インク・ジェット・プリンタの開示である。本発明によると、印字品質と有効プリントヘッドの使用できる寿命は最適化される。
【００４４】
上記は、本発明の特定の実施例の記述と図解であったが、当業者は、特許請求の範囲に規定する本発明の範囲と精神から逸脱することなく、種々の修正と変更を行うことができる。
ここで、本発明の各実施例の理解を容易にするために、各実施例を要約して以下に列挙する。
【００４５】
１．  関連する射出抵抗器抵抗を有する複数のインク射出抵抗器（１７）を含むインク・ジェット・プリントヘッド（１９）、
前記射出抵抗器抵抗に比例する抵抗比を有するサンプル抵抗器（２１）、
前記インク射出抵抗器の最適動作電圧とパルス幅を決定するための、前記サンプル抵抗器の抵抗に応答する手段（１１、１３、１５、２４）を含む、インク・ジェット・プリンタである。
【００４６】
２．  電源（１５）から供給電圧を受け取るプリントヘッド駆動装置（１３）によりヒータ抵抗器用相互接続パッドに供給されるパルスに応答するインク射出ヒータ抵抗器を有するプリントヘッド（１９）を有する熱インク・ジェット・プリンタを動作するための方法であって、
インク射出抵抗器のそれぞれの相互接続パッド抵抗を表わすプリントヘッドのパッド間抵抗を測定し、
プリントヘッドに対する目標動作エネルギと目標パルス幅を検出し、
目標動作エネルギと前記目標パルス幅から目標出力を計算し、
パッド間抵抗と前記目標出力から、前記プリントヘッド駆動装置に前記目標パルス幅の前記目標出力をヒータ抵抗器用相互接続パッドに供給させる、目標電源電圧を計算し、
前記目標電源電圧にほぼ等しい電圧を供給するための電源を設定し、
電源によって供給される実際の電圧を測定し、
測定された実際の電源電圧と測定されたパッド間抵抗とから実際の動作出力を決定し、
実際の動作出力と目標エネルギに基づき動作パルス幅を選択するステップを含むインク・ジェット・プリンタを使用する熱インク・ジェット・プリンタの動作方法である。
【００４７】
３．  目標動作エネルギと目標パルス幅を検出する前記ステップが、参照用の表から目標動作エネルギと目標パルス幅を検出するステップを含む前記２に記載のインク・ジェット・プリンタを使用する熱インク・ジェット・プリンタの動作方法である。
【００４８】
【発明の効果】
以上のように、本発明によれば、インク・ジェット・プリントヘッドに含まれるインク射出抵抗器に比例する抵抗比を有するサンプル抵抗器を設け、このサンプル抵抗器の抵抗に応答してインク射出抵抗器の最適動作電圧とパルス幅を決定するようにしたので、ペンの抵抗の不確実性を減少でき、ひいては、インク・ジェット・プリントヘッドに平均的に減少したオーバ・エネルギを供給でき、また、歩留まりと製造コストの低減化が可能となる。
【図面の簡単な説明】
【図１】本発明を実施する熱インク・ジェットの構成要素の概略ブロック図である。
【図２】本発明による、単一の電源で駆動される単一のペンに対する動作エネルギをセットする手順のフローチャートである。
【図３】本発明による、単一の電源で駆動される一組のペンに対する動作エネルギをセットする手順のフローチャートである。
【符号の説明】
１１  コントローラ
１３  プリントヘッド駆動回路
１５  電源
１７  ヒータ抵抗器
１９  プリントヘッド
２１  サンプル抵抗器
２３  温度センサ
２４、２５  アナログーデジタル交換器
RP    精密基準抵抗器
【図１】
0003639330.tif 000009
【図２】
0003639330.tif 000010
【図３】
0003639330.tif 000011